(57)【要約】【課題】  建設現場の火災発生などに備える緊急脱出用ハウスに関し、施工中の建物からの煙などから避難者を防御でき、消防の梯子車から脱出でき、消防の梯子車が届かない高さの場合にも救出できる枠組足場の緊急脱出用ハウスを提供する。【解決手段】  枠組足場２の外方に着脱自在に取り付けられる緊急脱出用ハウス10であって、緊急脱出用ハウス10の枠組足場２側に開閉自在な扉を設け、緊急脱出用ハウス10の外方に開閉自在な脱出口を設けた。また、緊急脱出用ハウス10の枠組足場２側上方に仮止め金具を設け、緊急脱出用ハウス10の上部にクレーン車40で吊り上げるための吊環を設けた。【選択図】        【図１】
0003115665.tif 000002
【実用新案登録請求の範囲】
【請求項１】
枠組足場の外方に着脱自在に取り付けられる緊急脱出用ハウスであって、緊急脱出用ハウスの枠組足場側に開閉自在な扉を設け、緊急脱出用ハウスの外方に開閉自在な脱出口を設けた枠組足場の緊急脱出用ハウス。
【請求項２】
緊急脱出用ハウスの枠組足場側上方に仮止め金具を設け、仮止め金具で枠組足場の建枠に緊急脱出用ハウスを掛け止め、緊急脱出用ハウスの上部にクレーン車で吊り上げるための吊環を設けた請求項１記載の枠組足場の緊急脱出用ハウス。
【考案の詳細な説明】
【技術分野】
【０００１】
本考案は、建設現場の火災発生などに備え、枠組足場の外方に着脱自在に取り付けられる緊急脱出用ハウスに関する。
【背景技術】
【０００２】
例えば、施工中の建物の周囲は枠組足場で囲まれ、枠組足場を作業の足場として建築される。
【０００３】
その枠組足場は、門形をした２本の建枠をブレースで連結し、建枠頂部の横桟パイプの間に布板を載置したものをユニットとし、このユニットを建設現場の幅と高さに応じて左右・上下に連結して枠組足場を構成し、枠組足場の外方には不要に物を落下させないよう防護ネットなどで囲まれる。
【０００４】
したがって、施工中の建物で火災が発生した場合、煙は枠組足場にまで達するが、高層で作業をする作業者がどのように避難するかは、全く考慮されてこなかった。
【０００５】
施工後の建物では火災が発生した場合には、実開昭４９−１１２０９８号公報に示されるロープの間に踏桟を支持した避難はしごを設けるなど、種々の避難設備が配置されている。また、窓を開ければ消防の梯子車から避難することもできる。
【０００６】
施工中の建物の枠組足場では、特許第３６４２６５３号公報に示される建築資材などの荷物を受け取る荷受けステージが知られており、荷受けステージは枠組足場の外側部所要高さ位置に仮設する。
【特許文献１】実開昭４９−１１２０９８号公報
【特許文献２】特許第３６４２６５３号公報
【考案の開示】
【考案が解決しようとする課題】
【０００７】
上記従来技術の避難はしごを備えることも考えられるが、枠組足場は建枠の間が空間であり、ロープの間に踏桟を支持した避難はしごが枠組足場にしっかりと支持されず揺れてしまうこと、枠組足場を囲む防護ネットから煙が噴出してくることから、現実的でない。
【０００８】
また、上記従来技術の荷受けステージを消防の梯子車用の緊急避難口とすることも考えられるが、荷受けステージは建物側と外部に開口しており、特に煙が噴出してくること、消防の梯子車が届かない高さの荷受けステージからは脱出できないことから、安全な緊急避難口とは言えない。
【０００９】
そこで本考案では、施工中の建物からの煙などから避難者を防御でき、消防の梯子車から脱出でき、消防の梯子車が届かない高さの場合にも救出できる、枠組足場の緊急脱出用ハウスを提供する事を目的とする。
【課題を解決するための手段】
【００１０】
請求項１の考案は、枠組足場２の外方に着脱自在に取り付けられる緊急脱出用ハウス10であって、緊急脱出用ハウス10の枠組足場２側に開閉自在な扉12を設け、緊急脱出用ハウス10の外方に開閉自在な脱出口14を設けたものである。
【００１１】
請求項２の考案は、緊急脱出用ハウス10の枠組足場２側上方に仮止め金具16を設け、仮止め金具16で枠組足場２の建枠３に緊急脱出用ハウス10を掛け止め、緊急脱出用ハウス10の上部にクレーン車40で吊り上げるための吊環19を設けたものである。
【考案の効果】
【００１２】
請求項１の考案によれば、枠組足場の外方に着脱自在に取り付けられる緊急脱出用ハウスであって、緊急脱出用ハウスの枠組足場側に開閉自在な扉を設け、扉を締めることにより施工中の建物からの火災の煙などを遮断できるから、施工中の建物からの煙などから避難者を防御できる。
【００１３】
また、緊急脱出用ハウスの外方に開閉自在な脱出口を設け、脱出口を開けて緊急脱出用ハウスから梯子車に乗り移ることができるから、消防の梯子車から脱出できる。
【００１４】
請求項２の考案によれば、緊急脱出用ハウスの枠組足場側上方に仮止め金具を設け、仮止め金具で枠組足場の建枠に緊急脱出用ハウスを掛け止め、緊急脱出用ハウスの上部にクレーン車で吊り上げるための吊環を設け、緊急脱出用ハウスをクレーン車で吊り上げて地上に降ろすことができるから、消防の梯子車が届かない高さの緊急脱出用ハウスの場合にも救出できる。
【考案を実施するための最良の形態】
【００１５】
施工中の建物１からの煙などから避難者を防御し、消防の梯子車30から脱出できるようにするため、枠組足場２の外方に着脱自在に取り付けられる緊急脱出用ハウス10であって、緊急脱出用ハウス10の枠組足場２側に開閉自在な扉12を設け、緊急脱出用ハウス10の外方に開閉自在な脱出口14を設けた。
【００１６】
また、消防の梯子車30が届かない高さの緊急脱出用ハウス10の場合にも救出できるようにするため、緊急脱出用ハウス10の枠組足場２側上方に仮止め金具16を設け、仮止め金具16で枠組足場２の建枠３に緊急脱出用ハウス10を掛け止め、緊急脱出用ハウス10の上部にクレーン車40で吊り上げるための吊環19を設けた。
【実施例１】
【００１７】
以下、本考案の一実施例につき図面を参照して説明する。
【００１８】
図１に示すのは枠組足場２に取り付けた緊急脱出用ハウス10であり、枠組足場２は施工中の建物１の周囲を囲んで設置され、緊急脱出用ハウス10はその枠組足場２の外方に着脱自在に取り付けられる。
【００１９】
その緊急脱出用ハウス10は、火災時に容易に避難できない中高層に適宜な数を設置すると良い。
【００２０】
枠組足場２は複数の門形をした建枠３が平行に立設され、その建枠３をブレース６で連結し、その建枠３の頂部の間に布板を載置して作業者の足場としたものである。
【００２１】
建枠３には、垂直方向に平行な一対の建地パイプ４と、建地パイプ４の頂部の間をつなぐ水平方向の横桟パイプ５を設ける。
【００２２】
緊急脱出用ハウス10には、ほぼ立方体に枠組みしたハウス枠11を設け、そのハウス枠11の枠組足場２側に避難者が出入りできる開閉自在な引戸である扉12を設ける。扉12には容易に開閉しないように錠を設け、内外から施開錠できるようにすると良い。
【００２３】
ハウス枠11の枠組足場２側で扉12の上方に、開閉自在な引き違いの戸である作業用扉13を設ける。作業用扉13には容易に開閉しないように錠を設ける。
【００２４】
ハウス枠11の外方に、開閉自在な引き違いの窓である脱出口14を設ける。脱出口14には容易に開閉しないように錠を設ける。緊急脱出用ハウス10の避難者は脱出口14から消防の梯子車30に脱出する。
【００２５】
緊急脱出用ハウス10のハウス枠11は、前記扉12，作業用扉13，脱出口14以外の部分は床や壁及び屋根20で塞がれているが、側面には開閉できない一対の窓15を設ける。
【００２６】
緊急脱出用ハウス10の枠組足場２側上方のハウス枠11に、左右一対の仮止め金具16を設ける。仮止め金具16は垂直方向の軸を中心として約９０度の間回動自在とした平面視が略Ｌの字状で、回動させて開いたときに先端部が建枠３の横桟パイプ５の上に位置し、仮止め金具16の最先端部は下方に突出して横桟パイプ５からの外れ止めとなっている。
【００２７】
緊急脱出用ハウス10の枠組足場２側で仮止め金具16の直下のハウス枠11に左右一対の固定クランプ17を設け、同じくハウス枠11の下方に左右一対の固定クランプ18を設ける。
【００２８】
緊急脱出用ハウス10のハウス枠11の上部四隅に、クレーン車40で吊り上げるための吊環19を設ける。
【００２９】
次に緊急脱出用ハウス10の取り付け、避難者の脱出方法について説明する。
【００３０】
緊急脱出用ハウス10の枠組足場２への取り付けは、クレーン車40で吊環19を吊り上げて行う。
【００３１】
枠組足場２の緊急脱出用ハウス10を取り付ける部分には、あらかじめ防護ネットを張らないようにし、ブレース６も緊急脱出用ハウス10の取り付け後に外す。
【００３２】
緊急脱出用ハウス10が枠組足場２の取り付け位置に近付いたなら、枠組足場２側から仮止め金具16は閉じ、固定クランプ17，18は開いておき、緊急脱出用ハウス10が所定位置の僅かに上方に達すると仮止め金具16を開く。このとき、仮止め金具16は先端部が建枠３の横桟パイプ５の上に位置する。
【００３３】
そのまま緊急脱出用ハウス10を降ろして、仮止め金具16で建枠３の横桟パイプ５に緊急脱出用ハウス10を掛け止める。
【００３４】
固定クランプ17，18を建枠３の建地パイプ４に固定し、クレーン車40のフックを外して取り付けが終了となる。このとき、緊急脱出用ハウス10の床の高さが枠組足場２の布板の高さとなるような大きさにする。
【００３５】
なお、緊急脱出用ハウス10は平常時には、作業員の休憩室や周辺状況の監視室又はタワークレーンの遠隔操縦室などとして利用しても良い。
【００３６】
次に避難者の脱出方法は、火災の煙が襲って来たなら緊急脱出用ハウス10に扉12から避難する。
【００３７】
これにより、扉12を締めることにより施工中の建物１からの火災の煙を遮断できるから、施工中の建物１からの煙から避難者を防御できる。
【００３８】
また、消防の梯子車30が届く高さに緊急脱出用ハウス10が取り付けられていれば、脱出口14を開けて緊急脱出用ハウス10から梯子車30に乗り移ることができるから、消防の梯子車30から脱出できる。
【００３９】
また、消防の梯子車30が届かない高さに緊急脱出用ハウス10が取り付けられていれば、クレーン車40のフックを吊環19に掛け、固定クランプ17，18を外す。この作業は扉12や作業用扉13を僅かに開けて行うこともできる。
【００４０】
緊急脱出用ハウス10をクレーン車40で吊り上げると、仮止め金具16は建枠３の建地パイプ４に当たって閉じ、枠組足場２から取り外すことができる。
【００４１】
これにより、緊急脱出用ハウス10をクレーン車40で吊り上げて地上に降ろすことができるから、消防の梯子車30が届かない高さの緊急脱出用ハウス10の場合にも救出できる。
【００４２】
以上の実施例では、施工中の建物１における火災の煙から避難する例を示したが、枠組足場２を使用する建設現場や工事現場に緊急脱出用ハウス10を取り付けても良いし、煙以外の有毒ガスの危険からの回避の目的で緊急脱出用ハウス10を取り付けても良い。
【図面の簡単な説明】
【００４３】
【図１】枠組足場の緊急脱出用ハウスの一実施例に係る側面図である。
【図２】その部分拡大図である。
【図３】図２の正面図である。
【図４】図２の背面図である。
【図５】図２の平面図である。
【図６】図４の部分拡大図である。
【符号の説明】
【００４４】
２  枠組足場
３  建枠
10  緊急脱出用ハウス
12  扉
14  脱出口
16  仮止め金具
19  吊環
40  クレーン車
【図１】
0003115665.tif 000003
【図２】
0003115665.tif 000004
【図３】
0003115665.tif 000005
【図４】
0003115665.tif 000006
【図５】
0003115665.tif 000007
【図６】
0003115665.tif 000008